(57)【要約】【課題】ユーザにとって外部接続端子の位置が分かりやすい画像形成装置を提供する。【解決手段】表示画面１０３に近接する位置に外部接続端子１０４を設ける。これにより、画像形成装置１に対する操作の際などにユーザが確認する表示画面１０３に近接する位置に外部接続端子１０４を設けることができるので、外部接続端子１０４がユーザの目に入りやすく、ユーザにとって外部接続端子１０４の位置が分かりやすい。【選択図】  図２
2010107587.tif 000002
【特許請求の範囲】
【請求項１】
画像データに基づいて記録紙に画像を形成する画像形成部と、
上記画像形成部を収容する筺体と、
上記筺体に取り付けられ、表示画面を有する表示部とを備え、
上記表示画面に近接する位置に外部接続端子が設けられていることを特徴とする画像形成装置。
【請求項２】
上記外部接続端子が、上記筺体における上記表示画面に最も近い側面に形成されていることを特徴とする請求項１に記載の画像形成装置。
【請求項３】
上記表示部が、上記筺体に取り付けられたケーシングにより保持されており、
上記外部接続端子が、上記ケーシングの側面に形成されていることを特徴とする請求項１に記載の画像形成装置。
【請求項４】
上記外部接続端子が、上記表示画面の中央部に対向する位置に設けられていることを特徴とする請求項１〜３のいずれかに記載の画像形成装置。
【請求項５】
上記表示画面に対する表示を制御する表示制御部を備え、
上記表示制御部が、上記外部接続端子の相対位置を視覚的に示す画像を上記表示画面に表示するための制御を行うことを特徴とする請求項１〜４のいずれかに記載の画像形成装置。
【請求項６】
上記表示制御部が設けられた表示制御基板を備え、
上記外部接続端子が上記表示制御基板に接続されており、
上記表示制御基板には、上記外部接続端子から入力される画像データに対して画像処理を行う画像処理部が設けられていることを特徴とする請求項４又は５に記載の画像形成装置。
【発明の詳細な説明】
【技術分野】
【０００１】
本発明は、表示画面を有する表示部が備えられた画像形成装置に関するものである。
【背景技術】
【０００２】
画像形成部を収容する筺体の側面に、外部接続端子の一例であるＵＳＢ(Universal Serial Bus)ポートが設けられた画像形成装置が知られている（例えば、下記特許文献１）。この種の画像形成装置においては、ＵＳＢポートに接続されたＵＳＢメモリなどから画像データを読み込み、当該画像データに基づいて記録紙に画像を形成するといった動作を行うことができる。
【０００３】
【特許文献１】特開２００３−２７６２７６号公報
【発明の開示】
【発明が解決しようとする課題】
【０００４】
しかしながら、上述のような従来技術では、ユーザによっては、筺体におけるＵＳＢポートなどの外部接続端子が形成されている位置が分からず、当該外部接続端子を探すのに時間がかかる場合がある。特に、上記特許文献１のような構成では、操作キー及び表示画面を備えた操作パネルに対して外部接続端子が離れた位置に設けられているので、操作パネルの操作キーを操作し、又は、表示画面を確認するユーザにとって、外部接続端子の位置がより分かりづらい。
【０００５】
本発明は上記実情に鑑みてなされたものであり、ユーザにとって外部接続端子の位置が分かりやすい画像形成装置を提供することを目的とする。
【課題を解決するための手段】
【０００６】
第１の本発明に係る画像形成装置は、画像データに基づいて記録紙に画像を形成する画像形成部と、上記画像形成部を収容する筺体と、上記筺体に取り付けられ、表示画面を有する表示部とを備え、上記表示画面に近接する位置に外部接続端子が設けられていることを特徴とする。
【０００７】
このような構成によれば、表示画面に近接する位置に外部接続端子が設けられているため、ユーザにとって外部接続端子の位置が分かりやすい。すなわち、画像形成装置に対する操作の際などにユーザが確認する表示画面に近接する位置に外部接続端子が設けられているので、外部接続端子がユーザの目に入りやすく、ユーザは外部接続端子を容易に発見することができる。
【０００８】
第２の本発明に係る画像形成装置は、上記外部接続端子が、上記筺体における上記表示画面に最も近い側面に形成されていることを特徴とする。
【０００９】
このような構成によれば、表示画面に対して最も近い筺体の側面に外部接続端子が形成されているので、外部接続端子がユーザの目により入りやすく、ユーザにとって外部接続端子の位置がさらに分かりやすい。
【００１０】
第３の本発明に係る画像形成装置は、上記表示部が、上記筺体に取り付けられたケーシングにより保持されており、上記外部接続端子が、上記ケーシングの側面に形成されていることを特徴とする。
【００１１】
このような構成によれば、表示部を保持するケーシングの側面に外部接続端子を形成することにより、表示画面により近接する位置に外部接続端子を設けることができる。したがって、表示部と外部接続端子が同一のユニットを構成するものとして一体的に認識され、外部接続端子がユーザの目により入りやすいため、ユーザにとって外部接続端子の位置がさらに分かりやすい。
【００１２】
第４の本発明に係る画像形成装置は、上記外部接続端子が、上記表示画面の中央部に対向する位置に設けられていることを特徴とする。
【００１３】
このような構成によれば、表示画面の中央部に対向する位置に外部接続端子が設けられているため、外部接続端子の位置をより分かりやすくすることができる。また、外部接続端子の相対位置を視覚的に示す画像を表示画面に表示する場合には、当該表示画面の中央部に画像を表示することにより、表示画面の端部に上記画像が表示される場合と比較して、当該画像をより大きく表示することができるため、外部接続端子の位置をより分かりやすくすることができる。
【００１４】
第５の本発明に係る画像形成装置は、上記表示画面に対する表示を制御する表示制御部を備え、上記表示制御部が、上記外部接続端子の相対位置を視覚的に示す画像を上記表示画面に表示するための制御を行うことを特徴とする。
【００１５】
このような構成によれば、外部接続端子の相対位置を視覚的に示す画像が表示画面に表示されるため、その表示に基づいてユーザは外部接続端子を迅速に発見することができ、ユーザにとって外部接続端子の位置がさらに分かりやすい。
【００１６】
第６の本発明に係る画像形成装置は、上記表示制御部が設けられた表示制御基板を備え、上記外部接続端子が上記表示制御基板に接続されており、上記表示制御基板には、上記外部接続端子から入力される画像データに対して画像処理を行う画像処理部が設けられていることを特徴とする。
【００１７】
このような構成によれば、外部接続端子から入力される画像データに対する画像処理を表示制御基板において行うことができる。外部接続端子が表示画面に近接する位置に設けられることにより、外部接続端子と表示制御基板との距離も比較的短いため、外部接続端子から入力される画像データに対する画像処理を表示制御基板において行うことにより、画像データに生じるノイズを抑制することができる。
【発明の効果】
【００１８】
本発明によれば、画像形成装置に対する操作の際などにユーザが確認する表示画面に近接する位置に外部接続端子が設けられているので、ユーザにとって外部接続端子の位置が分かりやすい。
【発明を実施するための最良の形態】
【００１９】
図１は、本発明の一実施形態に係る画像形成装置１の内部構成を示した概略断面図である。この画像形成装置１は、原稿供給装置（ＡＤＦ）２、原稿読取部３、画像形成部４及び給紙部５を備えた複写機である。
【００２０】
ＡＤＦ２は、原稿トレイ２ａを備えており、当該原稿トレイ２ａ上に１枚の原稿を置き、又は、２枚以上の原稿を積層した状態で置くことができるようになっている。ＡＤＦ２は、ピックアップローラ２ｂ及び分離手段（分離ローラとリタードローラの対）２ｃにより、原稿トレイ２ａ上に置かれた原稿を１枚ずつ送り出す。ＡＤＦ２により送り出された原稿は、複数の搬送ローラ２ｄ、２ｅ、２ｆにより搬送路２ｇを搬送され、当該搬送路２ｇの途中で片面又は両面の画像が読み取られた後、排出ローラ２ｈにより原稿排出トレイ２ｉ上に順次排出される。
【００２１】
原稿読取部３は、原稿の画像を読み取るための第１スキャナ３ａを備えている。ＡＤＦ２により原稿読取部３に供給される原稿を読み取る際には、第１スキャナ３ａが静止読取領域３ｂにおいて静止した状態で、搬送路２ｇの途中に位置する読取ポイントＡにおいて原稿の第１面（表面）の画像を読み取る。この画像形成装置１では、原稿読取部３の上方に設けられたガラス板３ｄ上に原稿を載置することにより、第１スキャナ３ａを移動読取領域３ｃで移動させながら原稿の第１面の画像を読み取ることもできる。なお、原稿の第１面とは、原稿トレイ２ａ上で上側の面、又は、ガラス板３ｄ上で下側の面をいう。
【００２２】
ＡＤＦ２には、搬送路２ｇの途中に設けられた第２スキャナ２ｋが備えられており、両面読取を行う場合には、読取ポイントＢにおいて、当該第２スキャナ２ｋにより原稿の原稿トレイ２ａ上で下側の面である第２面（裏面）の画像が読み取られる。すなわち、第２スキャナ２ｋは、原稿読取部３の第１スキャナ３ａにより読み取られる原稿の面（第１面）とは反対側の面（第２面）の画像を読み取るための裏面読取部を構成している。ただし、ＡＤＦ２は、第２スキャナ２ｋを備えていないような構成であってもよい。この場合、ＡＤＦ２に原稿を表裏反転させる機構が設けられ、原稿の両面が第１スキャナ３ａにより順次に読み取られるような構成であってもよい。
【００２３】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、第１スキャナ３ａ又は第２スキャナ２ｋで読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００２４】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００２５】
給紙部５は、記録紙Ｐを収容するための記録紙カセット６を備えており、この記録紙カセット６内に設けられた支持板９上に、記録紙Ｐを積層した状態で収容することができるようになっている。支持板９は、その一端部に設けられた支軸９ａを中心に回転可能となっており、支軸９ａ側とは反対側の端部が圧縮ばね９ｂによって上方へ付勢されることにより、最上部の記録紙Ｐが給紙ローラ２１に対して押圧される。この状態で給紙ローラ２１が回転駆動されることにより、記録紙カセット６内に収容されている記録紙Ｐが、給紙ローラ２１と分離パッド（図示せず）によりそれぞれ分離されて搬送路１２に１枚ずつ送り出される。
【００２６】
搬送路１２には、１つ又は複数の搬送ローラ１３が設けられている。記録紙カセット６から１枚ずつ送り出される記録紙Ｐは、搬送ローラ１３により搬送路１２内を搬送され、画像形成部４へと送られる。そして、レジストローラ１４により記録紙Ｐは感光体ドラム４ａの直前で一旦停止され、感光体ドラム４ａに形成されるトナー像を転写させるタイミングに合わせて送り出される。
【００２７】
上記のような原稿読取部３、画像形成部４及び給紙部５は、筺体１ａ内に収容されており、当該筺体１ａの上面に上記ガラス板３ｄが形成されている。ＡＤＦ２は、筺体１ａの上面に対して上下に開閉可能に取り付けられている。したがって、ガラス板３ｄ上に置かれた原稿を第１スキャナ３ａで読み取る場合には、ＡＤＦ２を閉じることにより、当該ＡＤＦ２とガラス板３ｄとの間に原稿を挟むことができるようになっている。
【００２８】
図２は、筺体１ａの上面の一部を示した平面図である。また、図３は、筺体１ａの上部の一部を示した正面図である。本実施形態では、画像形成装置１に対して当該画像形成装置１を操作するユーザ側を前面側、ユーザとは反対側を背面側として説明する。
【００２９】
筺体１ａの上面におけるＡＤＦ２が対向しない領域には、操作表示パネル１００が設けられている。当該操作表示パネル１００は、ユーザが操作を行うための操作部１０１と、ユーザに対する表示を行うための表示部１０２とが一体的に形成された構成を有している。操作部１０１は、ユーザが押圧して操作する複数の操作キーを有している。表示部１０２は、例えば液晶表示器からなり、その表示画面１０３が筺体１ａの上面に形成されている。表示部１０２の表示画面１０３は、例えば矩形状に形成され、この例では長方形状に形成された表示画面１０３の長辺が、筺体１ａの上面の前端縁に対して平行に延びるように配置されている。
【００３０】
表示部１０２は、表示画面１０３に各種情報を表示するとともに、当該表示画面１０３にタッチすることにより入力を行うことができるタッチパネル式のものであってもよい。ただし、操作部１０１及び表示部１０２が一体的に形成された構成に限らず、操作部１０１と表示部１０２とが別個に設けられた構成であってもよい。
【００３１】
この例では、操作表示パネル１００は、筺体１ａの上面における前端部に形成されている。表示部１０２の表示画面１０３は、その前側の長辺が筺体１ａの上面の前端縁に近接しており、筺体１ａの前面１ｂが、筺体１ａにおける表示画面１０３に最も近い側面を構成している。すなわち、表示画面１０３の外周を形成する４辺のうち、前側の長辺と当該長辺に対向する筺体１ａの前面との距離が、他の各辺と当該各辺に対向する筺体１ａの側面との距離よりも短くなっている。
【００３２】
本実施形態では、筺体１ａにおける表示画面１０３に最も近い側面である前面１ｂの上部に、外部接続端子１０４が形成されている。より具体的には、上記前面１ｂにおける表示画面１０３の中央部に対向する位置、すなわち表示画面１０３の前側の長辺の中央部に対向する位置に、外部接続端子１０４が設けられている。外部接続端子１０４は、外部からデータを入力し、又は、外部にデータを出力するための端子であり、この例ではＵＳＢポートを構成している。ただし、外部接続端子１０４は、ＵＳＢポートに限らず、ＰＳ／２ポート又はＬＡＮポートなどの他のポートを構成するものであってもよい。
【００３３】
本実施形態では、上記のような構成により、筺体１ａにおける表示画面１０３に近接する位置に外部接続端子１０４が設けられているため、ユーザにとって外部接続端子１０４の位置が分かりやすい。すなわち、画像形成装置１に対する操作の際などにユーザが確認する表示画面１０３に近接する位置に外部接続端子１０４が設けられているので、外部接続端子１０４がユーザの目に入りやすく、ユーザは外部接続端子１０４を容易に発見することができる。
【００３４】
特に、本実施形態では、筺体１ａの上面に設けられた表示画面１０３に対して最も近い筺体１ａの側面（前面）に外部接続端子１０４が形成されているので、外部接続端子１０４がユーザの目により入りやすく、ユーザにとって外部接続端子１０４の位置がさらに分かりやすい。
【００３５】
ただし、外部接続端子１０４は、筺体１ａの前面１ｂに限らず、前面１ｂ以外の側面に設けられていてもよい。例えば、表示画面１０３が、筺体１ａの前面１ｂよりも左側面又は右側面に近接して設けられている場合には、外部接続端子１０４が筺体１ａの左側面又は右側面に設けられていてもよい。また、外部接続端子１０４は、筺体１ａにおける表示画面１０３に近接する位置に設けられるような構成であれば、筺体１ａの側面に限らず、筺体１ａの上面などの他の位置に設けられていてもよい。なお、通常は表示画面１０３が筺体１ａの背面に近接して設けられることはないため、外部接続端子１０４を筺体１ａの背面に形成することはない。
【００３６】
表示画面１０３は、長方形状に限らず、正方形状、台形状、楕円形状などの各種形状に形成することができる。この場合、筺体１ａにおける表示画面１０３に最も近い側面、すなわち表示画面１０３の外周に対して最も近接して対向する側面に、外部接続端子１０４が設けられた構成であってもよい。
【００３７】
本実施形態では、操作表示パネル１００を操作してモードを選択することにより、外部接続端子１０４を介してデータを入力又は出力するモード（外部入出力モード）を選択することができるようになっている。図２には、外部入出力モードが選択された場合の表示画面１０３の表示例が示されている。この表示例では、外部接続端子１０４に対するＵＳＢの接続をユーザに指示するメッセージとともに、外部接続端子１０４の相対位置を視覚的に示す画像としての矢印１０５が表示画面１０３に表示されている。
【００３８】
上記矢印１０５は、当該矢印１０５に対する外部接続端子１０４の相対位置を示しており、この例では、表示画面１０３における外部接続端子１０４に対向する位置、すなわち表示画面１０３の左右方向中央部に、前方を指し示す矢印１０５が表示されている。このように、外部接続端子１０４の相対位置を視覚的に示す画像（矢印１０５）が表示画面１０３に表示されるため、その表示に基づいてユーザは外部接続端子１０４を迅速に発見することができ、ユーザにとって外部接続端子１０４の位置がさらに分かりやすい。
【００３９】
また、本実施形態では、表示画面１０３の中央部に対向する位置に外部接続端子１０４が設けられているため、外部接続端子１０４の相対位置を視覚的に示す画像（矢印１０５）を表示画面１０３の中央部に表示することができる。これにより、表示画面１０３の端部に上記画像が表示される場合と比較して、当該画像をより大きく表示することができるため、外部接続端子１０４の位置をより分かりやすく表示することができる。ただし、表示画面１０３に表示される上記画像は、矢印１０５に限らず、他の画像であってもよい。
【００４０】
図４は、図１の画像形成装置１の電気的構成を示したブロック図である。本実施形態では、画像形成装置１の筺体１ａ内に、表示制御基板２００、原稿読取制御基板３００及び画像形成制御基板４００が設けられている。
【００４１】
原稿読取制御基板３００は、原稿の読取動作を制御するための基板である。原稿読取部３の第１スキャナ３ａにより読み取られた原稿の第１面の画像データは、原稿読取制御基板３００に入力され、この原稿読取制御基板３００により当該画像データに対する画像処理が行われるようになっている。
【００４２】
画像形成制御基板４００は、画像形成装置１の全体の制御を司るメイン基板であり、記録紙Ｐに対する画像形成動作を制御する他、給紙部５などの他の各部の動作を制御する。ＡＤＦ２の第２スキャナ２ｋにより読み取られた原稿の第２面の画像データは、画像形成制御基板４００に入力され、この画像形成制御基板４００により当該画像データに対する画像処理が行われるようになっている。
【００４３】
原稿読取制御基板３００により画像処理が行われた原稿の第１面の画像データは、画像形成制御基板４００へと送られ、当該画像形成制御基板４００が画像形成部４の動作を制御することにより、上記第１面の画像データに基づく画像が記録紙Ｐに形成される。ＡＤＦ２を用いた両面読取の場合には、画像形成制御基板４００により画像処理が行われた原稿の第２面の画像データに基づいて、当該画像形成制御基板４００が画像形成部４の動作を制御することにより、当該第２面の画像データに基づく画像が記録紙Ｐに形成される。
【００４４】
ただし、上記のような構成に限らず、第１スキャナ３ａにより読み取られた原稿の第１面の画像データが、画像形成制御基板４００に入力され、この画像形成制御基板４００により画像処理が行われるような構成であってもよい。また、第２スキャナ２ｋにより読み取られた原稿の第２面の画像データが、原稿読取制御基板３００に入力され、この原稿読取制御基板３００により画像処理が行われるような構成であってもよい。
【００４５】
表示制御基板２００は、操作表示パネル１００の裏面側に対向するように設けられている。当該表示制御基板２００には、表示制御部２０１及び画像処理部２０２を構成するＣＰＵの他、上述の外部接続端子１０４などの各種電気部品が実装されている。表示制御部２０１は、表示部１０２の表示画面１０３に対する表示を制御するものであり、上述のような外部接続端子１０４の相対位置を視覚的に示す画像（矢印１０５）などの各種画像を表示画面１０３に表示するための制御を行う。
【００４６】
画像処理部２０２は、外部接続端子１０４を介してＵＳＢとの間で入出力される画像データに対する画像処理を行う。すなわち、ＵＳＢから外部接続端子１０４を介して画像データが入力された場合には、当該画像データに対して画像処理部２０２により画像処理が行われ、画像処理後の画像データが画像形成制御基板４００に入力される。この画像形成制御基板４００に入力された画像データに基づいて、当該画像形成制御基板４００が画像形成部４の動作を制御することにより、上記画像データに基づく画像を記録紙Ｐに形成することができる。
【００４７】
なお、画像形成制御基板４００に入力された画像データを、当該画像形成装置１のメモリ（図示せず）に記憶し、又は、当該画像形成装置１に接続されている他の装置に送信することも可能である。また、第１スキャナ３ａ又は第２スキャナ２ｋで読み取られた原稿の画像データ、あるいは、当該画像形成装置１に接続されている他の装置から受信した画像データなどを、画像処理部２０２の処理により、外部接続端子１０４を介してＵＳＢに記憶することも可能である。
【００４８】
表示制御基板２００、原稿読取制御基板３００又は画像形成制御基板４００において画像データに対して行われる上記画像処理としては、例えばＡ／Ｄ変換、表示・印刷・送信用の処理などを例示することができる。
【００４９】
このように、本実施形態では、外部接続端子１０４から入力される画像データに対する画像処理を表示制御基板２００において行うことができる。特に、外部接続端子１０４が表示制御基板２００に実装されているため、外部接続端子１０４から入力される画像データに対する画像処理を表示制御基板２００において行うことにより、画像データに生じるノイズを効果的に抑制することができる。
【００５０】
ただし、外部接続端子１０４は、表示制御基板２００に実装された構成に限らず、配線を介して表示制御基板２００に接続された構成であってもよい。このような構成であっても、外部接続端子１０４が表示画面１０３に近接する位置に設けられることにより、外部接続端子１０４と表示制御基板２００との距離も比較的短いため、画像データに生じるノイズを抑制することができる。
【００５１】
図５は、本発明の別の実施形態に係る画像形成装置に設けられた操作表示パネル１１０の構成を示す斜視図である。この操作表示パネル１１０は、その外形がケーシング１１１により区画されており、当該ケーシング１１１が筺体１ａに取り付けられている。ケーシング１１１は、筺体１ａに対して固定されていてもよいし、ヒンジなどを介して変位可能に取り付けられていてもよい。当該操作表示パネル１１０は、筺体１ａの上部、より好ましくは筺体１ａの上部における前端部に取り付けられている。当該操作表示パネル１１０において、上述の実施形態に係る操作表示パネル１００と同様の構成については、図に同一符号を付して説明を省略することとする。
【００５２】
ケーシング１１１は、平面視で表示画面１０２よりも大きい矩形状に形成され、操作部１０１及び表示部１０２を保持している。ただし、このような構成に限らず、ケーシング１１１により表示部１０２のみを保持するような構成であってもよい。
【００５３】
この例では、ケーシング１１１の前面に外部接続端子１０４が形成されている。より具体的には、ケーシング１１１の前面における表示画面１０３の中央部に対向する位置、すなわち表示画面１０３の前側の長辺の中央部に対向する位置に、外部接続端子１０４が設けられている。ただし、外部接続端子１０４は、表示画面１０３に近接するケーシング１１１の側面に形成されるような構成であれば、ケーシング１１１の前面に限らず、ケーシング１１１の他の側面に形成されていてもよい。
【００５４】
本実施形態では、上記のような構成により、画像形成装置１に対する操作の際などにユーザが確認する表示画面１０３に近接する位置に外部接続端子１０４が設けられているので、外部接続端子１０４がユーザの目に入りやすく、ユーザは外部接続端子１０４を容易に発見することができる。特に、表示部１０２を保持するケーシング１１１の側面に外部接続端子１０４を形成することにより、表示画面１０３により近接する位置に外部接続端子１０４を設けることができる。したがって、表示部１０２と外部接続端子１０４が同一のユニットを構成するものとして一体的に認識され、外部接続端子１０４がユーザの目により入りやすいため、ユーザにとって外部接続端子１０４の位置がさらに分かりやすい。
【００５５】
表示制御基板２００は、ケーシング１１１内における表示画面１０３の裏面側に対向する位置に設けられており、当該表示制御基板２００に、表示制御部２０１及び画像処理部２０２を構成するＣＰＵの他、上述の外部接続端子１０４などの各種電気部品が実装されている。このように、外部接続端子１０４が表示制御基板２００に実装された構成であれば、外部接続端子１０４から入力される画像データに対する画像処理を表示制御基板２００において行うことにより、画像データに生じるノイズを効果的に抑制することができる。
【００５６】
ただし、外部接続端子１０４は、表示制御基板２００に実装された構成に限らず、配線を介して表示制御基板２００に接続された構成であってもよい。このような構成であっても、外部接続端子１０４が表示画面１０３に近接する位置に設けられることにより、外部接続端子１０４と表示制御基板２００との距離も比較的短いため、画像データに生じるノイズを抑制することができる。
【００５７】
なお、本実施形態においても、表示制御部２０１の制御により、外部接続端子１０４の相対位置を視覚的に示す画像を表示画面１０３に表示することが可能であり、このような構成により得られる効果は上述の通りである。
【００５８】
以上の実施形態では、本発明が複写機に適用された場合について説明したが、このような構成に限らず、本発明は、原稿読取部３が備えられていないプリンタなどの他の画像形成装置にも適用可能である。
【図面の簡単な説明】
【００５９】
【図１】本発明の一実施形態に係る画像形成装置の内部構成を示した概略断面図である。
【図２】筺体の上面の一部を示した平面図である。
【図３】筺体の上部の一部を示した正面図である。
【図４】図１の画像形成装置の電気的構成を示したブロック図である。
【図５】本発明の別の実施形態に係る画像形成装置に設けられた操作表示パネルの構成を示す斜視図である。
【符号の説明】
【００６０】
１    画像形成装置
１ａ  筺体
１ｂ  前面
４    画像形成部
１００    操作表示パネル
１０１    操作部
１０２    表示部
１０３    表示画面
１０４    外部接続端子
１０５    矢印
１１０    操作表示パネル
１１１    ケーシング
２００    表示制御基板
２０１    表示制御部
２０２    画像処理部
【図１】
2010107587.tif 000003
【図２】
2010107587.tif 000004
【図３】
2010107587.tif 000005
【図４】
2010107587.tif 000006
【図５】
2010107587.tif 000007